(57)【要約】【課題】本発明は、外観が消波ブロック形状をなす筐体内に監視カメラを内設し、外部の状態を監視することを目的とする。【解決手段】本発明による監視装置は、消波ブロック形状の筐体１の固定部２に対して輪状ベアリング部１３を介して旋回部３を旋回可能に設け、この旋回部３内に固定した監視カメラを、この固定部２内に設けた駆動部で旋回部３を旋回させることにより旋回させる構成である。【選択図】図１
2010283611.tif 000002
【特許請求の範囲】
【請求項１】
中心部（１０）から延出された複数本の支持脚（１１）と上部脚（１２）とを有する消波ブロック形状をなす筐体（１）と、
前記中心部（１０）と前記支持脚（１１）とから構成された固定部（２）と、
前記上部脚（１２）から構成された旋回部（３）と、
前記固定部（２）と前記旋回部（３）との間に設けられた輪状ベアリング部（１３）と、
前記固定部（２）内に設けられた駆動部（７）と、
前記駆動部（７）に設けられ前記旋回部（３）に接続された出力軸（７ａ）と、
前記旋回部（３）の周壁（３ａ）に形成され透明体（４）で覆われた窓（５）と、
前記旋回部（３）の内部に配置された監視カメラ（６）と
を備え、
前記監視カメラ（６）により、前記窓（５）を介して前記筐体（１）外の状態を監視することを特徴とする監視装置。
【請求項２】
前記監視カメラ（６）は、焦点距離が調整可能なレンズ（６ａ）を有していることを特徴とする請求項１記載の監視装置。
【請求項３】
前記監視カメラ（６）は、前記旋回部（３）の底部（３ｂ）又は頂部（３ｃ）に設けられた空間安定部（３０）内に設けられていることを特徴とする請求項１又は請求項２に記載の監視装置。
【請求項４】
前記透明体（４）又は前記旋回部（３）の内壁が黒色に着色されていることを特徴とする請求項１から請求項３までのいずれか１項に記載の監視装置。
【発明の詳細な説明】
【技術分野】
【０００１】
本発明は、監視装置に関し、特に、外観が消波ブロック形状をなす筐体内に監視カメラを内設し、外部の状態を監視するための新規な改良に関する。
【背景技術】
【０００２】
従来、用いられていたこの種の監視装置としては、例えば、後述の特許文献１に示されているように、カメラが露出した状態で、建物の軒先、ビルの壁、柱の上部、電柱の上部等に取付けられ、固定又は旋回自在に設置されて使用されているものが挙げられる。
【先行技術文献】
【特許文献】
【０００３】
【特許文献１】特開２００５−３４１２９５号公報
【発明の概要】
【発明が解決しようとする課題】
【０００４】
従来の監視装置は、以上のように構成されていたため、次のような課題が存在していた。
すなわち、前述のように、カメラを露出又は簡単なケースに設けて設置した状態では、監視されていることが判りやすく犯罪者に警戒される。特に、海岸部に柱を立ててカメラを設置すると、カメラの存在が目立ってしまう。
【０００５】
本発明は、上記のような課題を解決するためになされたものであり、その目的は、存在が気付かれにくく、より有効な監視活動を実施できる監視装置を提供することである。
【課題を解決するための手段】
【０００６】
本発明に係る監視装置は、中心部から延出された複数本の支持脚と上部脚とを有する消波ブロック形状をなす筐体と、前記中心部と前記支持脚とから構成された固定部と、前記上部脚から構成された旋回部と、前記固定部と旋回部との間に設けられた輪状ベアリング部と、前記固定部内に設けられた駆動部と、前記駆動部に設けられ前記旋回部に接続された出力軸と、前記旋回部の周壁に形成され透明体で覆われた窓と、前記旋回部の内部に配置された監視カメラとを備え、前記監視カメラにより、前記窓を介して前記筐体外の状態を監視する。
【０００７】
また、前記監視カメラは、焦点距離が調整可能なレンズを有している。
また、前記監視カメラは、前記旋回部の底部又は頂部に設けられた空間安定部内に設けられている。
また、前記透明体又は旋回部の内壁が黒色に着色されている。
【発明の効果】
【０００８】
本発明の監視装置によれば、外観が消波ブロック形状をなす筐体内に監視カメラを内設しているので、監視活動を海岸部で行う場合でも、存在が気付かれにくく、より有効な監視活動を実施できる。
【０００９】
また、監視カメラは、焦点距離が調整可能なレンズを有しているので、広範囲の監視エリアを得ることができるとともに、遠くの状態もアップして鮮明に撮像することができる。
また、監視カメラは、旋回部の底部又は頂部に設けられた空間安定部内に設けられていることにより、外部のあらゆる状態を幅広く監視できる。
また、透明体又は旋回部の内壁が黒色に着色されているので、監視カメラの視認を困難とすることができ、監視カメラの存在が気付かれる可能性を低減できる。
【図面の簡単な説明】
【００１０】
【図１】本発明の実施の形態による監視装置を示す外観図である。
【図２】図１の監視装置の断面図である。
【図３】図２の監視装置に用いる空間安定部を示す断面構成図である。
【発明を実施するための形態】
【００１１】
本発明は、外観が消波ブロック形状をなす筐体内に監視カメラを内設し、外部の状態を監視するようにした監視装置を提供することを目的とする。
【実施例】
【００１２】
以下、図面と共に本発明による監視カメラの好適な実施の形態について説明する。
図１は本発明の実施の形態による監視装置を示す外観図である。図において、符号１で示されるものは、全体形状が消波ブロック形状をなす筐体である。なお、消波ブロック形状とは、周知のテトラポッド（登録商標）の形状である。この筐体１には、中心部１０から延出された複数本の支持脚１１と上部脚１２とが設けられている。
【００１３】
中心部１０の上部には輪状ベアリング部１３が取付けられており、上部脚１２は輪状ベアリング部１３を介して中心部１０に接続されている。すなわち、中心部１０及び支持脚１１は固定状の固定部２を構成しており、上部脚１２は旋回可能な旋回部３を構成している。固定部２は例えばコンクリート等の重量物で形成され、旋回部３は例えばＦＲＰ等の軽量物で形成されている。旋回部３及び輪状ベアリング部１３の外装は、固定部２と同色に塗装されている。旋回部３の周壁３ａには例えばガラスやプラスチック等の透明体４で覆われた窓５が設けられている。透明体４は、所定の透過率を維持しつつ、黒色に着色されている。
【００１４】
次に、図２は図１の監視装置の断面図である。図において、旋回部３の底部３ｂ上には、レンズ６ａを有する監視カメラ６が設けられており、この監視カメラ６のレンズ６ａは、窓５に対応するように配置されている。すなわち、監視カメラ６は、外部の状態を撮像して監視できるように構成されている。レンズ６ａは、焦点距離が調整可能なズームレンズとされており、広範囲の監視エリアを得ることができるとともに、遠くの状態もアップして鮮明に撮像することができるように構成されている。
【００１５】
前記固定部２内には、モータ、アクチュエータ、減速機付モータ、有限角モータ、有限角アクチュエータ等のうちの何れかからなる駆動部７が設けられ、この駆動部７の出力軸７ａは旋回部３の底部３ｂに接続されている。
【００１６】
前述の構成において、筐体１を海岸等の監視すべき場所に設置し、リモートコントロール等によって制御部８を介して駆動部７を駆動することにより、監視カメラ６を左右に回動させ、監視動作を行うことができる。また、制御部８を介して、図示しないアクチュエータを駆動させて、レンズ６ａの焦点距離を適宜変更できる。
【００１７】
また、前述の構成においては、監視カメラ６を旋回部３の底部３ｂに固定した場合について述べたが、他の形態として、図３に示す空間安定部３０を旋回部３の底部３ｂ又は頂部３ｃに取付け、この空間安定部３０内に監視カメラ６を内設し、監視カメラ６を多軸方向に移動させて、動きのあるターゲットの撮像（目標追尾動作）を可能とするものである。
【００１８】
前記空間安定部３０の一側を挙げると、図３に示されるとおりである。
図３において、前記旋回部３の頂部３ｃに設けられた基台部３１には、モータ３２によりヨー方向Ａに回動する保持体３３が設けられ、この保持体３３の両端間には、アウタピッチ用のモータ３４及び第１及び第１支軸３５を介してピッチ方向Ｂに沿って回動する第１枠体３６がピッチ方向Ｂに沿って回動自在に設けられている。
【００１９】
前記第１枠体３６には、第２支軸３７及びインナヨー用のトルカ３８Ａを介して第２枠体３８がヨー方向Ａに沿って回動自在に設けられ、この第２枠体３８には第３支軸３９及びインナピッチ用のトルカ４０を介して第３枠体４１がピッチ方向Ｂに沿って回動自在に設けられている。
【００２０】
前記第３枠体４１の内面には、前記監視カメラ６が設けられ、さらに、用途及び機能を広げるために赤外線カメラ４２及びレーザ測距装置４３が設けられているが、基本的には監視カメラのみでよい。従って、前述のモータ３４、各トルカ３８Ａ,４０を駆動すると、監視カメラ６自体のロール動作も加えると、５軸動作を行うことができ、外部のターゲット等の状態を安定して監視することができる。
【００２１】
なお、実施の形態では、透明体４が黒色に着色されると説明したが、透明体は無色のまま、旋回部の内壁が黒色に着色されてもよい。このように構成することでも、外部からの監視カメラの視認を困難とすることができる。
【符号の説明】
【００２２】
１  筐体
２  固定部
３  旋回部
３ａ  周壁
３ｂ  底部
３ｃ  頂部
４  透明体
５  窓
６  監視カメラ
６ａ  レンズ
７  駆動部
７ａ  出力軸
１０  中心部
１１  支持脚
１２  上部脚
１３  輪状ベアリング部
３０  空間安定部
【図１】
2010283611.tif 000003
【図２】
2010283611.tif 000004
【図３】
2010283611.tif 000005